【手続補正書】
【提出日】平成29年4月25日(2017.4.25)
【手続補正１】
【補正対象書類名】特許請求の範囲
【補正対象項目名】全文
【補正方法】変更
【補正の内容】
【特許請求の範囲】
【請求項１】
主鏡、
副鏡、及び
１以上の屈折エレメントを備えるレンズを備える装置であって、
前記主鏡及び前記副鏡が光源から発せられた光を用いてプライマリビームを生成するよう構成されており、
前記レンズが前記光源と前記主鏡との間に配置されており、
前記１以上の屈折エレメントが前記光源から発せられた前記光の少なくとも一部を使用してビーコンビームを生成するように構成されている、
装置。
【請求項２】
前記プライマリビームを介して第２の望遠鏡とデータを通信するように構成されている第１の望遠鏡を備える、請求項１に記載の装置。
【請求項３】
前記第２の望遠鏡が少なくとも部分的に前記ビーコンビームに基づいて前記第１の望遠鏡の位置を特定するように構成されている、請求項２に記載の装置。
【請求項４】
前記１以上の屈折エレメントが２つの屈折エレメントを含み、前記２つの屈折エレメントが前記レンズの第１の表面上に配置され、前記２つの屈折エレメントのそれぞれが前記レンズの前記第１の表面に対して凹形状を有する、請求項１に記載の装置。
【請求項５】
前記２つの屈折エレメントのそれぞれの前記凹形状が、前記レンズの厚さ方向に延びている、請求項４に記載の装置。
【請求項６】
前記１以上の屈折エレメントが２つの屈折エレメントを含み、前記２つの屈折エレメントが前記レンズの第１の表面上に配置され、前記２つの屈折エレメントのそれぞれが前記レンズの前記第１の表面に対して凸形状を有する、請求項１に記載の装置。
【請求項７】
前記２つの屈折エレメントのそれぞれの前記凸形状が、前記レンズの前記第１の表面から離れるように延伸する、請求項６に記載の装置。
【請求項８】
前記プライマリビームが第１の直径を有し、前記ビーコンビームが遠距離場において前記第１の直径よりも大きい第２の直径を有する、請求項１に記載の装置。
【請求項９】
前記光源がレーザーを含む、請求項１に記載の装置。
【請求項１０】
第１の表面、及び
第２の表面を備える望遠鏡レンズであって、
前記第１の表面が前記第２の表面と厚さによって隔てられており、
前記第１の表面が第１の屈折エレメントを含み、
前記第１の屈折エレメントが前記第１の表面上にあり、
前記第１の屈折エレメントが、光源から発せられた光が前記レンズを通過するときにビーコンビームの少なくとも一部を生成するように構成されている、
望遠鏡レンズ。
【請求項１１】
前記第２の表面が、ほぼ平らな表面を含む、請求項１０に記載の望遠鏡レンズ。
【請求項１２】
前記第１の表面が第２の屈折エレメントを含み、前記第２の屈折エレメントが、前記光源から発せられた光が前記レンズを通過するときに前記ビーコンビームの第２の部分を生成するように構成されている、請求項１１に記載の望遠鏡レンズ。
【請求項１３】
前記第１の屈折エレメント及び前記第２の屈折エレメントが前記第１の表面に対して凹形状を有し、前記第１の表面が、前記第１の屈折エレメント及び前記第２の屈折エレメントを除いてほぼ平らである、請求項１２に記載の望遠鏡レンズ。
【請求項１４】
前記第１の屈折エレメント及び前記第２の屈折エレメントが前記第１の表面に対して凸形状を有し、前記第１の表面が、前記第１の屈折エレメント及び前記第２の屈折エレメントを除いてほぼ平らである、請求項１２に記載の望遠鏡レンズ。
【請求項１５】
光源によって発せられた光を使用してプライマリビームを生成すること、及び
望遠鏡のレンズを用いて前記光の一部を使用してセカンダリビームを生成することであって、前記レンズが１以上の屈折エレメントを含み、前記セカンダリビームが、前記１以上の屈折エレメントを使用して前記光の前記一部を方向転換することによって生成される、生成すること
を含む方法。
【請求項１６】
前記プライマリビームが、前記望遠鏡の主鏡及び副鏡を使用して前記光を反射することによって生成され、前記レンズが反射防止膜によってコーティングされている、請求項１５に記載の方法。
【請求項１７】
前記１以上の屈折エレメントの中の第１の屈折エレメントが、前記レンズの第１の表面上に配置され、前記１以上の屈折エレメントの中の第２の屈折エレメントが、前記レンズの第２の表面上に配置される、請求項１５に記載の方法。
【手続補正２】
【補正対象書類名】明細書
【補正対象項目名】００３４
【補正方法】変更
【補正の内容】
【００３４】
前述の「発明を実施するための形態」において、様々な特徴が組み合わせられたり、単独の実施形態として説明されたりしたかもしれないが、それは本開示を簡潔にする目的である。本開示は、特許請求される実施形態が、各請求項に記載されるもの以外の特徴を要求するという意図を反映すると解釈されるものではない。むしろ、下記の特許請求の範囲が反映しているように、特許請求される主題は、説明されたいずれの実施の形態のすべての特徴よりも少ない特徴を有するものに関しうる。
また、本願は以下に記載する態様を含む。
（態様１）
主鏡、
副鏡、及び
１以上の屈折エレメントを備えるレンズを備える装置であって、
前記主鏡及び前記副鏡が光源から発せられた光を用いてプライマリビームを生成するよう構成されており、
前記レンズが前記光源と前記主鏡との間に配置されており、
前記１以上の屈折エレメントが前記光源から発せられた前記光の少なくとも一部を使用してビーコンビームを生成するように構成されている、
装置。
（態様２）
前記プライマリビームを介して第２の望遠鏡とデータを通信するように構成されている第１の望遠鏡を備える、態様１に記載の装置。
（態様３）
前記第１の望遠鏡が第１の位置に配置され、前記第２の望遠鏡が前記第１の位置から離れた第２の位置に配置されている、態様２に記載の装置。
（態様４）
前記第２の望遠鏡が少なくとも部分的に前記ビーコンビームに基づいて前記第１の望遠鏡の位置を特定するように構成されている、態様２に記載の装置。
（態様５）
前記１以上の屈折エレメントが２つの屈折エレメントを含み、前記２つの屈折エレメントが前記レンズの第１の表面上に配置され、前記２つの屈折エレメントのそれぞれが前記レンズの前記第１の表面に対して凹形状を有する、態様１に記載の装置。
（態様６）
前記２つの屈折エレメントのそれぞれの前記凹形状が、前記レンズの厚さ方向に延びている、態様５に記載の装置。
（態様７）
前記１以上の屈折エレメントが２つの屈折エレメントを含み、前記２つの屈折エレメントが前記レンズの第１の表面上に配置され、前記２つの屈折エレメントのそれぞれが前記レンズの前記第１の表面に対して凸形状を有する、態様１に記載の装置。
（態様８）
前記２つの屈折エレメントのそれぞれの前記凸形状が、前記レンズの前記第１の表面から離れるように延伸する、態様７に記載の装置。
（態様９）
前記プライマリビームが第１の直径を有し、前記ビーコンビームが遠距離場において前記第１の直径よりも大きい第２の直径を有する、態様１に記載の装置。
（態様１０）
前記レンズが反射防止膜によってコーティングされている、態様１に記載の装置。
（態様１１）
前記光源がレーザーを含む、態様１に記載の装置。
（態様１２）
第１の表面、及び
第２の表面を備える望遠鏡レンズであって、
前記第１の表面が前記第２の表面と厚さによって隔てられており、
前記第１の表面が第１の屈折エレメントを含み、
前記第１の屈折エレメントが前記第１の表面上にあり、
前記第１の屈折エレメントが、光源から発せられた光が前記レンズを通過するときにビーコンビームの少なくとも一部を生成するように構成されている、
望遠鏡レンズ。
（態様１３）
前記第２の表面が、ほぼ平らな表面を含む、態様１２に記載の望遠鏡レンズ。
（態様１４）
前記第１の表面が第２の屈折エレメントを含み、前記第２の屈折エレメントが、前記光源から発せられた光が前記レンズを通過するときに前記ビーコンビームの第２の部分を生成するように構成されている、態様１３に記載の望遠鏡レンズ。
（態様１５）
前記第１の屈折エレメント及び前記第２の屈折エレメントが前記第１の表面に対して凹形状を有し、前記第１の表面が、前記第１の屈折エレメント及び前記第２の屈折エレメントを除いてほぼ平らである、態様１４に記載の望遠鏡レンズ。
（態様１６）
前記第１の屈折エレメント及び前記第２の屈折エレメントが前記第１の表面に対して凸形状を有し、前記第１の表面が、前記第１の屈折エレメント及び前記第２の屈折エレメントを除いてほぼ平らである、態様１４に記載の望遠鏡レンズ。
（態様１７）
前記レンズの前記第１の表面及び前記第２の表面が、反射防止膜でコーティングされている、態様１２に記載の望遠鏡レンズ。
（態様１８）
光源によって発せられた光を使用してプライマリビームを生成すること、及び
望遠鏡のレンズを用いて前記光の一部を使用してセカンダリビームを生成することであって、前記レンズが１以上の屈折エレメントを含み、前記セカンダリビームが、前記１以上の屈折エレメントを使用して前記光の前記一部を方向転換することによって生成される、生成すること
を含む方法。
（態様１９）
前記プライマリビームが、前記望遠鏡の主鏡及び副鏡を使用して前記光を反射することによって生成され、前記レンズが反射防止膜によってコーティングされている、態様１８に記載の方法。
（態様２０）
前記１以上の屈折エレメントの中の第１の屈折エレメントが、前記レンズの第１の表面上に配置され、前記１以上の屈折エレメントの中の第２の屈折エレメントが、前記レンズの第２の表面上に配置される、態様１８に記載の方法。